(57)【要約】【課題】前扉が閉塞されている場合にみロック部材をロック位置に設定できて、前扉に安定したロック状態が得られたり、前扉の形態に係わらず適用できる遊技機の前扉ロック機構を提供する。【解決手段】前扉の開閉状態を検知可能なセンサで、前扉の開放状態を検知した際にロック部材のロック位置への設定を不可能とし、センサで前扉の閉塞状態を検知した際にロック部材のロック位置への設定を可能とする制御手段を備える。ロック部材は、前扉の外周縁部の形状に対応した形状を有し、その先端部が前扉の外周縁部の前面に非接触状態で係止され、また、ロック部材は、前扉の外周縁部の前面形状に対応して前後方向の高さが調整可能とされたり、遊技機間の台間機に取付けられる。【選択図】  図２
2011072579.tif 000002
【特許請求の範囲】
【請求項１】
前面に開閉可能な前扉を有して島の固定枠に取付けられる遊技機と、前記前扉の開放状態と閉塞状態を検知可能なセンサと、前記前扉の開放を阻止するロック位置と前扉の開放を可能とする非ロック位置とに設定可能なロック部材と、前記センサで前扉の開放状態を検知した際に前記ロック部材のロック位置への設定を不可能とし、前記センサで前扉の閉塞状態を検知した際に前記ロック部材のロック位置への設定を可能とする制御手段と、を備えることを特徴とする遊技機の前扉ロック機構。
【請求項２】
前記ロック部材は、前記前扉の外周縁部の形状に対応した形状を有し、その先端部が前扉の外周縁部の前面に非接触状態で係止されることを特徴とする請求項１に記載の遊技機の前扉ロック機構。
【請求項３】
前記ロック部材は、前記前扉の外周縁部の前面形状に対応して前後方向の高さが調整可能であることを特徴とする請求項１または２に記載の遊技機の前扉ロック機構。
【請求項４】
前記ロック部材は、前記固定枠の隣り合う遊技機間に配置される台間機に取付けられることを特徴とする請求項１ないし３のいずれかに記載の遊技機の前扉ロック機構。
【請求項５】
前記センサは、前記前扉の反ヒンジ側の開放端部の側面を検知可能であることを特徴とする請求項１ないし４のいずれかに記載の遊技機の前扉ロック機構。
【発明の詳細な説明】
【技術分野】
【０００１】
本発明は、パチンコ機やスロットマシン等の遊技機の前扉の不正開放を防止するための遊技機の前扉ロック機構に関する。
【背景技術】
【０００２】
従来、パチンコ機等の遊技機において、前扉の不正開放を防止する装置としては、例えば特許文献１が提案されている。この不正開放防止装置は、閉塞位置と開放位置とに変位可能な平板状のストッパ片と、ソレノイドや固定ピン等を有する固定手段と、ソレノイドを駆動させる制御部等を備えている。そして、リモコン操作により制御部を介してソレノイドを駆動させて、ストッパ片を開放位置から閉塞位置に設定することにより、遊技機の前扉の不正開放を防止するようにしたものである。
【先行技術文献】
【特許文献】
【０００３】
【特許文献１】特開２００８−２７２０００号公報
【発明の概要】
【発明が解決しようとする課題】
【０００４】
しかしながら、このような不正開放防止装置にあっては、リモコンの電気信号でソレノイドを駆動させることにより、ストッパ片を閉塞位置に設定できるものの、リモコン操作でストッパ片が自動的に駆動する構成であるため、例えば前扉が開放されている状態でリモコンを誤操作した場合に、ストッパ片が開放位置から閉塞位置方向に自動的に回動してしまい、前扉自体やストッパ片が破損する虞がある等、前扉の安定したロック状態を得ることが難しい。
【０００５】
また、ストッパ片が回動可能な平板状に形成されて、前扉の開放側端部の前面に所定距離を有して位置する構造であるため、遊技機の前扉の外周縁部である開放側端部に、前方に張り出した凹凸状の装飾カバーが配置されている場合に、前扉との間に比較的大きな隙間が発生し易く、この隙間から前扉が不正に開放される虞があり、前扉を確実にロック状態として不正開放防止効果を十分に高めることが困難であると共に、適用される前扉（遊技機）の形態が限定される等、汎用性の面で劣るという不都合を有している。
【０００６】
本発明は、このような事情に鑑みてなされたもので、その目的は、前扉が閉塞されている場合にみロック部材をロック位置に設定できて、前扉に安定したロック状態が得られる遊技機の前扉ロック機構を提供することにある。また、他の目的は、前記目的に加え、前扉の形態に係わらず適用できて、不正開放防止効果を十分に高めることができると共に、汎用性にすぐれた遊技機の前扉ロック機構を提供することある。
【課題を解決するための手段】
【０００７】
かかる目的を達成すべく、本発明のうち請求項１に記載の発明は、前面に開閉可能な前扉を有して島の固定枠に取付けられる遊技機と、前記前扉の開放状態と閉塞状態を検知可能なセンサと、前記前扉の開放を阻止するロック位置と前扉の開放を可能とする非ロック位置とに設定可能なロック部材と、前記センサで前扉の開放状態を検知した際に前記ロック部材のロック位置への設定を不可能とし、前記センサで前扉の閉塞状態を検知した際に前記ロック部材のロック位置への設定を可能とする制御手段と、を備えることを特徴とする。
【０００８】
また、請求項２に記載の発明は、前記ロック部材が、前記前扉の外周縁部の形状に対応した形状を有し、その先端部が前扉の外周縁部の前面に非接触状態で係止されることを特徴とする。また、請求項３に記載の発明は、前記ロック部材が、前記前扉の外周縁部の前面形状に対応して前後方向の高さが調整可能であることを特徴とする。さらに、請求項４に記載の発明は、前記ロック部材が、前記固定枠の隣り合う遊技機間に配置される台間機に取付けられることを特徴とする。また、請求項５に記載の発明は、前記センサが、前記前扉の反ヒンジ側の開放端部の側面を検知可能であることを特徴とする。
【発明の効果】
【０００９】
本発明のうち請求項１に記載の発明によれば、制御手段により、センサで前扉の開放状態を検知した際にロック部材のロック位置への設定を不可能とし、センサで前扉の閉塞状態を検知した際にロック部材のロック位置への設定を可能とするため、前扉が閉塞状態の場合にみロック部材をロック位置に設定できて、前扉の開放状態時のロック部材のロック位置への移動を禁止できて、前扉やロック部材等の破損を防止しつつ、前扉の安定したロック状態を得ることができる。
【００１０】
また、請求項２に記載の発明によれば、請求項１に記載の発明の効果に加え、前扉の外周縁部の形状に対応した形状のロック部材の先端部が前扉の外周縁部の前面に非接触状態で係止されるため、前扉の形態に係わらず先端部を前扉に僅かな隙間を有して非接触状態で係止できて、先端部と前扉間の隙間の発生を抑制できて不正開放防止効果を十分に高めることができる。
【００１１】
また、請求項３に記載の発明によれば、請求項１または２に記載の発明の効果に加え、ロック部材が前扉の外周縁部の前面形状に対応して前後方向の高さが調整可能であるため、ロック部材を前扉の外周縁部の前面に確実に係止できて、一層安定したロック状態を得ることができると共に、各種形態の前扉に容易に適用できて、前扉ロック機構の汎用性を向上させることができる。
【００１２】
さらに、請求項４に記載の発明によれば、請求項１ないし３に記載の発明の効果に加え、ロック部材が固定枠の隣り合う遊技機間に配置される台間機に取付けられるため、例えば分煙機能を有する台間機にロック部材を取付けて前扉の開放側端部をロックすることができ、ロック機構の構成の簡略化と設置コストの低減化を図ることができる。
【００１３】
また、請求項５に記載の発明によれば、請求項１ないし４に記載の発明の効果に加え、センサが前扉の反ヒンジ側の開放端部の側面を検知可能であるため、前扉の閉塞状態を確実に検知できて、前扉の一層安定したロック状態を得ることができる。
【図面の簡単な説明】
【００１４】
【図１】本発明に係わる遊技機の前扉ロック機構を台間機に適用した場合の正面図
【図２】同台間機の内部構成を示す側面図
【図３】同その背面図
【図４】同図１の横断面図
【図５】同図１の他の横断面図
【図６】同ロック部材の斜視図
【図７】同遊技機としてのパチンコ機の正面図
【図８】同その側面図
【図９】同台間機の制御手段のブロック構成図
【図１０】同その動作の一例を示すフローチャート
【発明を実施するための形態】
【００１５】
以下、本発明を実施するための形態を図面に基づいて詳細に説明する。
図１〜図１０は、本発明に係わる遊技機の前扉ロック機構の一実施形態を示している。
【００１６】
図１〜図３に示すように、パチンコ店の島に併設状態で設置されるパチンコ機１（図７及び図８参照）間に配置される台間機２は、パチンコ機１の高さと同一高さの縦長の本体ケース３を有している。この本体ケース３内の後方側で縦方向の上部を除く略全域に亘って、ＤＣモータ４ａにより駆動可能なクロスフローファン４が３個上下方向に配設され、この各クロスフローファン４に対応して、本体ケース３の前面には、縦方向のスリット状の吹出口３ａが多数設けられている。また、本体ケース３の背面には、吸引口（図示せず）が多数設けられると共に、この吸引口の背面側には活性炭フィルター５が例えば着脱可能に取付けられている。
【００１７】
また、本体ケース３の縦方向の略中間位置上部には、前扉ロック機構６が配設されている。この前扉ロック機構６は、平面視でフック形状をした樹脂製のロック部材７と、駆動することによりロック部材７を図４のロック位置Ｓ１と非ロック位置Ｓ２との間で回動させるロータリーソレノイド８ａと、駆動することによりロック部材７のロック位置Ｓ１におけるロック状態を維持（保持）するプッシュソレノイド８ｂと、ロック部材７の下方で本体ケース３の前後水平方向に配設された２個の前扉開閉検知センサ９ａ、９ｂ（以下、検知センサ９ａ、９ｂという）と、制御手段としての制御基板からなる制御部１０等を有している。
【００１８】
前記ロック部材７は、図６に示すように、軽量化と前扉１２への衝撃緩和の目的で、中央部に開口７ａが形成されており、その回動軸７ｂが本体ケース３の前面に嵌め込み固定されたロックカバー１３内に位置している。また、前記ロック部材７は、図４及び図６に示すように、先端部７ｃが内側（図４において右側）に所定角度折れ曲がったフック形状に形成され、その回動軸７ｂが前記ロータリーソレノイド８ａの回転軸に歯車２４ａ〜２４ｂ等の適宜の連結部材を介して連結されている。
【００１９】
そして、ロータリーソレノイド８ａが通電により作動して回転軸が回転することで、図４の破線の非ロック位置Ｓ２から矢印イの如く例えばθ＝５２．５度回動して、実線で示すロック位置Ｓ１に設定されるようになっている。また、前記プッシュソレノイド８ｂは、通電により作動してその駆動軸が進退することで、適宜の連結部材を介してロック部材７をロック位置Ｓ１に維持するように構成されている。
【００２０】
また、前記検知センサ９ａ、９ｂは、例えば光センサ等の非接触型のセンサかもしくはマイクロスイッチ等の接触型のセンサで構成されている。この前扉ロック機構６により、後述する如くパチンコ機１の前扉１２の不正開放が防止されるようになっている。
【００２１】
なお、このロック機構６においては、プッシュソレノイド８ｂにより、ロック部材７を所定の圧力で押圧して、ロック部材７の手等による引っ張り開放を防止するようにしたが、例えばプッシュソレノイド８ｂの前後方向のストロークを利用して、ロック部材７を前後方向に移動可能として、ロック部材７の前後方向の高さ位置、すなわち後述する前扉１２の外周縁部１２ａの前面との距離を調整可能とすることもできる。
【００２２】
また、本体ケース３の上部前面には、台間機２を作動させるための電源スイッチ１４と表示灯１１が配設されている。電源スイッチ１４は、可変抵抗器１４ｂ付きで、プッシュ操作でスイッチ部１４ａがオン・オフすると共に、回転操作で可変抵抗器１４ｂの抵抗値が変化して、前記クロスフローファン４の回転数が調整可能となっている。また、表示灯１１は、複数個のＬＥＤで形成され、前記クロスフローファン４やロック機構６の作動状態、及び電源スイッチ１４のオン状態や後述する静電霧化微粒子水発生装置１５の作動状態が表示されるようになっている。
【００２３】
さらに、本体ケース３の前面で電源スイッチ１４の上部には、静電霧化微粒子水発生装置１５が配設されている。この静電霧化微粒子水発生装置１５は、後端部に設けたノズル１５ａ（図４及び図５参照）から水を供給することにより、この水が静電霧化作用で帯電微粒子水となり、これが本体ケース３の前面の噴出口３ｃから前方（遊技者側）に噴霧（噴出）される。これにより、遊技者近傍の空気が清浄化されたり加湿されて、快適な遊技空間が得られるようになっている。
【００２４】
次に、このような前扉ロック機構６を備えた台間機１が併設状態で設置されるパチンコ機１について説明する。パチンコ機１は、図７及び図８に示すように、外枠１６の前面にガラス扉１７を有する前記前扉１２が、図１の左端側の上下に配設された一対のヒンジ１８により開閉可能に配設され、この前扉１２の内側には遊技盤１９が配設されている。また、前扉１２は、その下方右隅部に発射ハンドル２０が配設されると共に、中央下部に打球供給皿２１が配設されている。また、前記遊技盤１９の遊技領域中の略中央部に、図柄表示装置としての図示しないカラーの液晶表示器（図示せず）が配設されると共に、遊技盤１９の外周部（前扉１２の外周縁部１２ａ）には、盤ランプが内蔵された凹凸形状の装飾カバー２２が配設されている。
【００２５】
そして、図７の二点鎖線で示すように、パチンコ機１の少なくとも一方の側面である反ヒンジ側に前記台間機２が隣接状態で設置されて、前記ロック機構６のロック部材７が、パチンコ機１の装飾カバー２２の所定部位前面に対向配置されるようになっている。このとき、ロック部材７の先端部７ｃが、ロック位置Ｓ１のときに装飾カバー２２の前面に対して僅かな隙間（例えば１〜３ｍｍ程度）を有して対向配置されて、ロック部材７と装飾カバー２２（つまり前扉１２）が非接触状態で係止されるように設定されている。
【００２６】
なお、ロック部材７の本体ケース３に対する上下方向の取付け位置や前後の取付け高さは、台間機２が隣接設置されるパチンコ機１の形態が特定される場合には、装飾カバー２２の例えば凹み部分等の所定位置となる取付け位置や前後の所定高さ位置に設定される。また、台間機２が設置されるパチンコ機１の形態が特定されない場合には、ロック部材７を本体ケース３に対して前後方向に自動でもしくは手動で移動可能に配設することにより、所定高さ位置に設定して設置したり、ロック部材７を本体ケース３に対して前後の高さを調整可能として、装飾カバー２２の所定位置に係止できるように構成すれば良い。
【００２７】
図９は、前記台間機２の制御系のブロック構成図を示している。以下、これについて説明する。台間機２は前記制御部１０を有し、この制御部１０は、ＣＰＵ１０ａ、ＲＯＭ１０ｂ、ＲＡＭ１０ｃ等を有し、その入力側には、前記２個の検知センサ９ａ、９ｂと、前記電源スイッチ１４のスイッチ部１４ａと可変抵抗器１４ｂが接続されている。また、制御部１０の出力側には、前記クロスフローファン４のＤＣモータ４ａと、前記静電霧化微粒子水発生装置１５と、前記ロータリーソレノイド８が接続されている。なお、前述したように、ロック部材７をプッシュさせたりロック部材７の前後方向の高さ位置を調整するためにプッシュソレノイド８ｂを設けた場合は、このプッシュソレノイド８ｂも制御部１０の出力側に接続される。
【００２８】
そして、この台間機２は、図１０に示すように動作する。すなわち、電源スイッチ１４がプッシュ操作されてスイッチ部１４ａがオンすると、前記制御部１０のＲＯＭ１０ｂに予め記憶されているプログラムがスタート（Ｓ１００）し、前記検知センサ９ａがオンか否か、すなわち本体ケース３の前後方向に２個配設された検知センサ９ａ、９ｂのうち前方の検知センサ９ａが前扉１２を検知した否かが判断（Ｓ１０１）される。この判断Ｓ１０１は「ＹＥＳ」になる間で繰り返され、判断Ｓ１０１で「ＹＥＳ」になると、検知センサ９ｂがオンか否か、すなわち後方の検知センサ９ｂが前扉１２を検知したか否かが判断（Ｓ１０２）される。
【００２９】
この判断も「ＹＥＳ」になるまで繰り返され、この判断Ｓ１０２で「ＹＥＳ」となった時点、つまり、パチンコ機１の前扉１２が完全に閉められて閉塞され、これを２個の検知センサ９ａ、９ｂが共に検知した場合は、制御部１０からロータリーソレノイド８ａとプッシュソレノイド８ｂに駆動信号が出力されて該ソレノイド８ａ、８ｂが例えば所定の時間差を持って作動（Ｓ１０３）する。
【００３０】
このロータリーソレノイド８ａの作動により、非ロック位置Ｓ２にあるロック部材７が回動軸７ｂを中心に回動してロック位置Ｓ１に設定され、前扉１２の開放が禁止される。このとき、ロック部材７の先端部７ｃが前扉１２の装飾カバー２２の所定の前面に対して僅かな隙間を有して非接触状態で係止され、例えば先端部７ｃと装飾カバー２２の前面との間に異物等の挿入がし難い状態となっている。また、ロータリーソレノイド８ａの作動が完了した後に、プッシュソレノイド８ｂが作動して、ロック部材７に該部材７をロック位置Ｓ１に保持する力が作用し、これにより、ロック部材７の安易な開放が禁止されるようになっている。
【００３１】
ステップＳ１０３でロータリーソレノイド８ａとプッシュソレノイド８ｂが作動すると、電源スイッチ１４の抵抗値が読み込まれ（Ｓ１０４）、この読み込んだ抵抗値に応じて前記３個のＤＣモータ４ａが所定回転数で回転（Ｓ１０５）する。これにより、３個のクロスフローファン４が回転し、本体ケース３の背面に設けた吸引口から島内部の空気が活性炭フィルター５で濾過されつつ吸引され、これがクロスフローファン４を通過して本体ケース３の吹出口３ａの前方、すなわち隣接するパチンコ機１間に吹き出される。これにより、台間機２の前方に吹出方式のエアーカーテンが形成された状態となり、例えば遊技者の喫煙によるたばこの煙が隣接するパチンコ機１間において分煙されることになる。
【００３２】
また、ステップＳ１０５によるクロスフローファン４の作動と略同時に前記静電霧化微粒子水発生装置１５が作動（Ｓ１０６）し、本体ケース３の上部に設けた噴出口３ｃから、静電霧化微粒子水が台間機２の前方に噴霧される。このとき、噴出口３ｃが本体ケース３の上部でクロスフローファン４が設けられていない位置に設置されていることから、吹出口３ａから吹き出される空気の上空に静電霧化微粒子水が噴霧されて、遊技者近傍の空気が効果的に清浄化されたり加湿されることになる。
【００３３】
そして、クロスフローファン４や静電霧化微粒子水発生装置１５が作動すると、電源スイッチ１４のスイッチ部１４ａがオフか否かが判断（Ｓ１０７）され、この判断Ｓ１０７で「ＮＯ」の場合は、判断Ｓ１０１に戻り、該ステップＳ１０１以降を繰り返す。また、判断Ｓ１０７で「ＹＥＳ」の場合は、すなわち、パチンコ店の営業を終了した場合とか、遊技者がエアーカーテンや静電霧化微粒子水の噴霧を希望せず電源スイッチ１４をオフした場合は、一連のプログラムがエンド（Ｓ１０８）となる。
【００３４】
つまり、台間機２の本体ケース３の前後方向に２個配設した検知センサ９ａ、９ｂが、隣接するパチンコ機１の前扉１２の閉塞状態を共に検知した場合にのみ、可変抵抗器１４ｂの抵抗値に応じた回転数でクロスフローファン４が回転して島内部の空気を吸引して隣接するパチンコ機１間の前方に吹出方式のエアーカーテンが生成される。また、このエアーカーテンの上方から静電霧化微粒子水が噴霧されて、遊技者近傍の空気が清浄化されたり加湿されて快適な遊技空間が生成されることになる。なお、以上説明したフローチャートは一例であって、例えば電源スイッチ１４の抵抗値の読み込みを、電源スイッチ１４のつまみが回転操作されて可変抵抗器１４ｂの抵抗値が変化した場合にのみ行うようにしたり、３個のＤＣモータ４ａを一括でなく個別に制御することにより、３個のクロスフローファン４の回転状態をきめ細かに制御するフローチャートを採用することもできる。
【００３５】
このように、前記台間機２によれば、制御部１０により、検知センサ９ａ、９ｂで隣接するパチンコ機１の前扉１２の開放状態を検知した際にロック部材７のロック位置Ｓ１への設定を不可能とし、検知センサ９ａ、９ｂで前記前扉１２の閉塞状態を検知した際にロック部材７のロック位置Ｓ１への設定を可能とするため、台間機２に隣接するパチンコ機１の前扉１２が閉塞状態の場合にみ、ロック部材７をロック位置Ｓ１に設定することができる。
【００３６】
特に、検知センサ９ａ、９ｂが台間機２の前後方向に所定間隔を有して配置されパチンコ機１の前扉１２の側面を検知すると共に、両検知センサ９ａ、９ｂが共に前扉１２の閉塞状態を検知した際に、ロック部材７のロック位置Ｓ１への設定を可能とすることから、前扉１２が完全に閉塞されない限り、ロック部材７をロック位置Ｓ１に設定できず、不完全な閉塞状態でのロック部材７の回動動作を禁止することができる。これにより、前扉１２の開放状態時のロック部材７のロック位置への動作を確実に防止できて、前扉１２の装飾カバー２２やロック部材７自体の破損を防止しつつ、前扉１２の安定したロック状態を容易に得ることが可能となる。
【００３７】
また、前扉１２の装飾カバー２２の形状に対応した形状のロック部材７の先端部７ｃが装飾カバー２２の所定位置前面に非接触状態で係止されるため、前扉１２の形態に係わらず先端部７ｃを装飾カバー２２に僅かな隙間を有して非接触状態で係止できて、ロック部材７と前扉１２間の隙間の発生を抑制して、異物挿入等による前扉１２の不正開放を防止でき、十分な不正開放防止効果を得ることができる。
【００３８】
また、ロック部材７を前扉１２の装飾カバー２２の前面形状に対応して前後方向の高さを調整可能に構成すれば、ロック部材７の先端部７ｃを装飾カバー２２の前面に確実に係止できて、一層安定したロック状態を得ることができると共に、各種形態の装飾カバー２２を有する前扉１２に適用することができて、前扉ロック機構６の汎用性を向上させることができる。
【００３９】
さらに、ロック部材７が隣接するパチンコ機１間に配置されて吹出方式エアーカーテンからなる分煙機能を有する台間機２に取付けられているため、隣接するパチンコ機１の前扉１２の開放側端部を確実にロックしつつ、ロック機構６や台間機２の構成の簡略化やその設置コストの低減化等を図ることができる。すなわち、前扉ロック機構６が台間機２に取付けられ、制御部１０が台間機２の本体ケース３内に配置されているため、前扉ロック機構６用の制御部１０に台間機２のロータリーソレノイド８やＤＣモータ４ａの駆動を制御する制御部の機能を兼用させることができて、制御部１０や前扉ロック機構６等の構成を簡略化することができる。
【００４０】
また、前扉ロック機構６がパチンコ機１とは別体の台間機２に取付けられると共に、ロック部材７が前扉１２に非接触状態で係止されるため、前扉ロック機構６（台間機２）の設置時に、パチンコ機１への加工が全く必要なく、例えば既存の台間機と交換することで設置できる等、前扉ロック機構６の設置コストの低減化を図ることが可能になると共に、島構造や台割等に影響されることなく設置できて、ロック機構６等の汎用性を向上させることも可能となる。
【００４１】
また、台間機２がクロスフローファン４を有し、台間機２の前方に吹出方式の上下に広範囲なエアーカーテンが形成されるため、遊技者の喫煙によるたばこの煙を隣接するパチンク機１間で確実に分煙することができる。また、台間機２の上部に静電霧化微粒子水発生装置１５が配置されているため、台間機２の前方に静電霧化微粒子水を噴霧できて、遊技者近傍の空気を清浄化したり加湿することができると共に、活性炭フィルター５により島内部の塵埃等を取り除いた状態で店内に吹き出すことができ、これらにより遊技者の近傍に快適な遊技空間を形成することが可能となる。
【００４２】
ところで、前記実施形態においては、ロック機構６を台間機２の本体ケース３の前面に配設する例について説明したが、本発明はこの構成に限定されず、例えば図７及び図８に二点鎖線で示すように、パチンコ機１の上部に配設される島の固定枠２３に前扉ロック機構６を配設することも可能である。この場合は、ロック部材７がパチンコ機１の反ヒンジ側の開放側端部の上部に非接触型で係止されることが好ましく、このように構成しても、前扉１２の開閉状態を検知する検知センサ９ａ、９ｂを適宜位置に配置することにより、前記実施形態と同様の作用効果を得ることができる。
【００４３】
また、前記実施形態においては、台間機２に前後方向の略水平位置の２箇所に検知センサ９ａ、９ｂを配置したが、例えば２個の検知センサ９ａ、９ｂを上下方向にずらして配置したり、前後方向の中間や後方側の１箇所に検知センサ９ｂを配設し、この１個の検知センサ９ｂの検知信号に基づいて、ロック部材７を回動動作させる構成とすることもできる。また、前記実施形態においては、ロック部材７をロック位置Ｓ１に維持するためにプッシュソレノイド８ｂを使用したが、例えばロック部材７のロック位置Ｓ１をロータリーソレノイド８ａで維持するように構成して、プッシュソレノイド８ｂを省略することも可能である。
【００４４】
さらに、前記実施形態においては、クロスフローファン４の回転方向を所定に設定することにより、本体ケース３の前面に吹出口３ａを設けて、台間機２の前方に吹出方式のエアーカーテンを形成したが、例えばクロスフローファン４の回転方向を逆にし、本体ケースの前面に吸引口を設けて台間機２の前方に吸引方式のエアーカーテンを形成することも勿論可能である。また、クロスフローファン４を正逆転可能として、吹出方式と吸引方式のエアーカーテンの生成を交互に行う構成とすることもできる。
【００４５】
さらにまた、前記実施形態においては、ロック部材７の先端部７ｃが前扉１２の装飾カバー２２に非接触状態で係止される例について説明したが、先端部７ｃが装飾カバー２２（あるいは前扉１２）の前面に軽く接触する状態で係止する構造を採用することもできる。また、前記実施形態における、台間機２の構成やロック部材７の駆動構造等は一例であって、例えばクロスフローファン４を１個や２個で構成したり、ロック部材７をモータやカムで駆動させる等、本発明に係わる各発明の要旨を逸脱しない範囲において、適宜に変更することができる。
【産業上の利用可能性】
【００４６】
本発明は、島に併設状態で配置されるパチンコ機に限らず、島に配置されるスロットマシンやその他の各種遊技機にも利用できる。
【符号の説明】
【００４７】
１・・・パチンコ機、２・・・台間機、３・・・本体ケース、３ａ・・・吹出口、３ｃ・・・噴出口、４・・・クロスフローファン、４ａ・・・ＤＣモータ、５・・・活性炭フィルター、６・・・前扉ロック機構、７・・・ロック部材、７ａ・・・開口、７ｂ・・・回動軸、７ｃ・・・先端部、８ａ・・・ロータリーソレノイド、８ｂ・・・プッシュソレノイド、９ａ、９ｂ・・・前扉開閉検知センサ、１０・・・制御部、１１・・・表示灯、１２・・・前扉、１３・・・ロックカバー、１４・・・電源スイッチ、１４ａ・・・スイッチ部、１４ｂ・・・可変抵抗器、１５・・・静電霧化微粒子水発生装置、１８・・・ヒンジ、２２・・・装飾カバー、２３・・・固定枠、Ｓ１・・・ロック位置、Ｓ２・・・非ロック位置。
【図１】
2011072579.tif 000003
【図２】
2011072579.tif 000004
【図３】
2011072579.tif 000005
【図４】
2011072579.tif 000006
【図５】
2011072579.tif 000007
【図６】
2011072579.tif 000008
【図７】
2011072579.tif 000009
【図８】
2011072579.tif 000010
【図９】
2011072579.tif 000011
【図１０】
2011072579.tif 000012